(57)【要約】      （修正有）【課題】従来の液体タンクに於けるフロートゲージはフロートが同じ位置で液面に合わせ浮力により正確に上下するには、防波壁を必ずタンク内に設置する必要があった。液面同位置表示型のフロートゲージでは液体のタンクの底板に滑車を固定しチェーンを通さなければならなかった。前者、後者共に液体タンクの内部に防波壁を設置しなければならない。後者に於いては滑車の設置も有りチェーンが外れた場合の修理も困難である。【解決手段】液体タンク１１天板に取り付け開口を設け、そこにフロートゲージユニット１をボルト固定し錘９、指針１０をゲージ１２に吊り下げることにより、液体タンク１１内に加工を施さず、故障修理、メンテナンスの場合でも取り付けフランジ２を外しフロートゲージユニット１を取り出し容易に作業が行える液面同位置表示型のフロートゲージユニット１とした。【選択図】図２
0003128905.tif 000002
【実用新案登録請求の範囲】
【請求項１】
各種液体タンクに設置されている内容量確認装置（フロートゲージ）について、該液体タンク天板に設けられた取り付け用フランジに第１、第２の滑車とタンク底板付近までの長さのパイプを固定し、フロートの貫通穴部にパイプを通して、該パイプの端部（タンク底板付近）に第３の滑車を取り付け、フロートに固定されたチェーンを第３の滑車、パイプ内部、第２の滑車、第１の滑車の順に通しチェーン末端部に錘と錘に付けた指針をタンクのゲージに吊り下げ、フロートの浮力により内容量（液面）を表示することを特徴とする液面同位置表示型のフロートゲージユニット。
【請求項２】
上記パイプは横断面の形状が四角形であることを特徴とする請求項１記載のフロートゲージユニット。
【請求項３】
第３の滑車は、外部カバー付であることを特徴とする請求項１、または請求項２記載のフロートゲージユニット。
【考案の詳細な説明】
【技術分野】
【０００１】
この考案は、各種液体タンクの内容量を表示するフロートゲージに関するものである。
【背景技術】
【０００２】
従来の多くのフロートゲージは、図３に示すようにタンク内に防波壁を設けその中にフロートを浮かせチェーンもしくはワイヤーを取り付けタンク天板の穴を通し滑車にて指針付き錘を吊り下げ、タンク正面にあるゲージ（内容量目盛）にてタンク内容量を確認できるものであり、この場合タンク内液面の移動に対し指針の動きは相対的に動作するので、液位が上がれば目盛表示は下がり、液位が下がれば目盛表示は上がる為、内容量を錯覚しやすい構造である。また図４に示すように上記の構造にタンク底板に滑車を取り付けチェーンもしくはワイヤーをタンク底板設置の滑車を介す構造を加えたものもあり、この場合はタンク内液面と同位置を指す様に動作するが底板設置の滑車の故障（滑車の回転不良、チェーン外れ）が多く修理も困難である。その他、特許文献によれば液体タンク内のフロートゲージ変更アタッチメントがあるが実際のタンクでは目盛表示を正確にする為に液面の波を防ぐと共にフロートの上下する位置を同じにするのに防波壁を設けた構造である。ゆえに変更アタッチメントは取り付けが困難である。
【特許文献１】特開２００１−４４３２号公報
【考案の開示】
【考案が解決しようとする課題】
【０００３】
しかしながら、上記の技術によれば、タンク内に防波壁を設ける必要があり、また後者の方法に於いては防波壁に加え底板に滑車を設置する必要が有り、故障（滑車の回転不良、チェーン外れ）も多く液中の滑車なので、修理も困難であった。そこで、この考案は、フロートゲージを請求項１に示す構造にすることにより、タンク内の加工を無くし、請求項３に示す滑車外部カバーにて故障（チェーンの外れ又は絡み）を防ぎ、もし故障が有った場合でも取り付けフランジを外すことによりタンクからフロートゲージユニットが外れ、故障修理及びメンテナンスを容易に出来る液面同位置表示型のフロートゲージユニットを提供することを課題とする。
【課題を解決するための手段】
【０００４】
以上の課題を解決するために、考案は各種液体タンクに設置されている内容量確認装置（フロートゲージ）について、該液体タンク天板に設けられた取り付け用フランジに第１、第２の滑車とタンク底板付近までの長さのパイプを固定し、フロートの貫通穴部にパイプを通して、該パイプの端部（タンク底板付近）に第３の滑車を取り付け、フロートに固定されたチェーンを第３の滑車、パイプ内部、第２の滑車、第１の滑車の順に通しチェーン末端部に錘と錘に付けた指針をタンクのゲージに吊り下げ、フロートの浮力により内容量（液面）を表示する構造である。パイプにフロートを通して浮力により上下させる為、タンク内に防波壁を設ける必要がなく、フロートからのチェーンはパイプ端に取り付けたチェーン外れ止め付きの滑車（液中用）を経由し、パイプ内部、取り付けフランジ上部の滑車に通して指針付き錘を吊り下げる為、チェーン外れもなく、もし故障があった場合でも取り付けフランジを外せばフロートゲージユニットごと外すことが出来、故障修理、メンテナンスが容易で、タンク内の加工を必要としないことを特徴とする請求項１記載の液面同位置表示型のフロートゲージユニットである。
【考案の効果】
【０００５】
考案によれば、タンク製作時にフロートゲージを設置する場合に、タンク天板にフロートゲージユニットの取り付け用開口を設けフロートゲージユニットの取り付けフランジを固定するだけで、タンク内の加工を必要としないので、製作コスト及び生産率向上となる。
【０００６】
更に液中の滑車にカバーを付けたことよりチェーンが外れにくい構造となり、故障しにくく、もし不具合が有っても、取り付けフランジを外しフロートゲージユニットごと外せるので故障修理及びメンテナンスも容易である。
【考案を実施するための最良の形態】
【０００７】
この考案の一実施形態を図２に示す。
取り付け用フランジ２に第１の滑車３、第２の滑車４とタンク１１の底板付近までの長さのパイプ５が固定されている。パイプ５の横断面の形状は好ましくは四角形であり、これはフロートが回転してチェーンを絡ませない為である。フロート７の貫通穴部（パイプ横断面形状に合わせた穴）にパイプ５を通してパイプ５の端部（タンク底板付近）に第３の滑車６を取り付け、フロート７に固定されたチェーン８を第３の滑車６、パイプ５内部、第２の滑車４、第１の滑車３の順に通りチェーン５末端部に錘９とそれにつけた指針１０をタンク１１のゲージ１２に吊り下げフロート７の浮力により内容量（液面１３）をゲージ１２に表示する構造である。
【０００８】
「実施形態の効果」
この実施形態によれば、タンク製作に於いてフロートゲージ部に関しタンク内の加工の必要が無くなり、生産効率の向上につながると共に、従来のフロートゲージとは異なり、タンクより取り外し可能なフロートゲージユニットなので、故障修理、メンテナンス及び部品交換を容易に行うことが出来る。
【産業上の利用可能性】
【０００９】
液体タンクの中でも燃料タンクには最もフロート式ゲージが使われているが、この考案によれば製作工程の簡素化、納入後の故障修理、メンテナス及び部品交換等が容易な為、製品化されれば利用される可能性は高いと思われる。
【図面の簡単な説明】
【００１０】
【図１】この考案の一実施形態（フロートゲージユニット単体）を示す側面図である。
【図２】この考案の一実施形態（タンクにフロートゲージユニット設置状態）を示す断面図である。
【図３】従来技術の一実施形態（液面位置を相対的に目盛表示するフロートゲージ）を示す側面図である。
【図４】従来技術の一実施形態（液面位置を同位置に目盛表示するフロートゲージ）を示す側面図である。
【符号の説明】
【００１１】
１  フロートゲージユニット
２  取り付けフランジ（ボルトにて取り付け）
３  第１の滑車
４  第２の滑車
５  パイプ（横断面形状四角）
６  第３の滑車（外部カバー付）
７  フロート（貫通四角穴有り）
８  チェーン
９  錘
１０指針
１１液体タンク
１２ゲージ（目盛部）
１３液面
１４防波壁
１５フロート
１６チェーン
１７滑車
１８滑車（液中底板固定）
１９錘
２０指針
２１タンク
２２ゲージ
２３液面
【図１】
0003128905.tif 000003
【図２】
0003128905.tif 000004
【図３】
0003128905.tif 000005
【図４】
0003128905.tif 000006
【手続補正書】
【提出日】平成18年10月19日(2006.10.19)
【手続補正１】
【補正対象書類名】実用新案登録請求の範囲
【補正対象項目名】全文
【補正方法】変更
【補正の内容】
【実用新案登録請求の範囲】
【請求項１】
各種液体タンクに設置されているフロートゲージ式内容量確認装置について、該液体タンク天板に設けられた取り付け用フランジに第１、第２の滑車とタンク底板付近までの長さのパイプを固定し、フロートの貫通穴部にパイプを通して、該パイプの端部に第３の滑車を取り付け、フロートに固定されたチェーンを第３の滑車、パイプ内部、第２の滑車、第１の滑車の順に通しチェーン末端部に錘と錘に付けた指針をタンクのゲージに吊り下げ、フロートの浮力により内容量を表示することを特徴とする液面同位置表示型のフロートゲージユニット。